(57)【要約】【課題】安定した足場で作業することができる建物の構築方法を提供する。【解決手段】建物５の構築範囲の外周に沿って足場１を設置し、足場１の上下方向の中間部における角部に中間火打材４３を設ける足場設置工程と、中間火打材４３よりも下側の１階部分５５（第１躯体）を構築する１階部分構築工程（第１躯体構築工程）と、１階部分５５と足場１とを１階連結部材６１（連結手段）で連結する１階部分足場連結工程（第１躯体足場連結工程）と、中間火打材４３を取り外す中間火打材取り外し工程と、１階部分５５よりも上側の２階部分を構築する２階部分構築工程（第２躯体構築工程）と、２階部分と足場１とを２階連結部材（連結手段）で連結する２階部分足場連結工程（第２躯体足場連結工程）と、足場１を解体し、１階部分５５と足場１とを連結する１階連結部材６１、および２階部分と足場１とを連結する２階連結部材を取り外す足場解体工程と、を有する。【選択図】図４
2020159134.tif 000002
【特許請求の範囲】
【請求項１】
複数層を有する建物の構築方法において、
前記建物の構築範囲の外周に沿って足場を設置し、前記足場の上下方向の中間部における角部に中間火打材を設ける足場設置工程と、
前記中間火打材よりも下側の第１躯体を構築する第１躯体構築工程と、
前記第１躯体と前記足場とを連結手段で連結する第１躯体足場連結工程と、
前記中間火打材を取り外す中間火打材取り外し工程と、
前記第１躯体よりも上側の第２躯体を構築する第２躯体構築工程と、
前記第２躯体と前記足場とを連結手段で連結する第２躯体足場連結工程と、
前記足場を解体し、前記第１躯体と前記足場とを連結する前記連結手段、および前記第２躯体と前記足場とを連結する前記連結手段を取り外す足場解体工程と、を有することを特徴とする建物の構築方法。
【請求項２】
複数層を有する建物の構築方法において、
前記建物は、前記複数層にわたる通し柱を有し、
前記建物の構築範囲の外周に沿って足場を設置し、前記足場の上下方向の中間部における角部に中間火打材を設ける足場設置工程と、
前記通し柱を前記足場の角部と前記中間火打材とで囲まれた空部を貫通させるように立設する通し柱立設工程と、
前記中間火打材よりも下側の第１躯体を構築する第１躯体構築工程と、
前記第１躯体と前記足場とを連結手段で連結する第１躯体足場連結工程と、
前記第１躯体よりも上側の第２躯体を構築する第２躯体構築工程と、
前記第２躯体と前記足場とを連結手段で連結する第２躯体足場連結工程と、
前記第２躯体足場連結工程の後に前記中間火打材を取り外す中間火打材取り外し工程と、
前記足場を解体し、前記第１躯体と前記足場とを連結する前記連結手段、および前記第２躯体と前記足場とを連結する前記連結手段を取り外す足場解体工程と、を有することを特徴とする建物の構築方法。
【請求項３】
複数層を有する建物の構築方法において、
前記建物の構築範囲の外周に沿って足場を設置し、前記足場の上下方向の中間部における角部に中間火打材を設け、前記足場の上端部分における角部に上側火打材を設ける足場設置工程と、
前記建物における平面視で前記中間火打材と干渉しない中央部分の躯体を構築する中央躯体構築工程と、
前記中央部分の躯体と前記足場とを連結手段で連結する中央躯体足場連結工程と、
前記中間火打材および前記上側火打材を取り外す火打材取り外し工程と、
前記建物における前記中央部分以外の側部分の躯体を構築する側部躯体構築工程と、
前記側部分の躯体と前記足場とを連結手段で連結する側部躯体足場連結工程と、
前記足場の上端部分における角部に前記上側火打材を再度設ける上側火打材設置工程と、
前記足場を解体し、前記中央部分の躯体と前記足場とを連結する前記連結手段、および前側部分の躯体と前記足場とを連結する前記連結手段を取り外す足場解体工程と、を有することを特徴とする建物の構築方法。
【請求項４】
前記第１躯体および前記第２躯体は、それぞれ外壁材が固定される外壁材固定部を有し、
前記連結手段は、前記外壁材固定部と前記足場とを連結するように構成され、
前記第１躯体足場連結工程の後に前記第１躯体の前記外壁材固定部に前記外壁材を固定する第１外壁材施工工程と、
前記第２躯体足場連結工程の後に前記第２躯体の前記外壁材固定部に前記外壁材を固定する第２外壁材施工工程と、を有することを特徴とする請求項１または２に記載の建物の構築方法。
【請求項５】
前記中央部分の躯体および前記側部分の躯体は、それぞれ外壁材が固定される外壁材固定部を有し、
前記連結手段は、前記外壁材固定部と前記足場とを連結するように構成され、
前記中央躯体足場連結工程の後に前記中央部分の躯体の前記外壁材固定部に前記外壁材を固定する中央外壁材施工工程と、
前記側部躯体足場連結工程の後に前記側部分の躯体の前記外壁材固定部に前記外壁材を固定する側部分外壁材施工工程と、を有することを特徴とする請求項３に記載の建物の構築方法。
【請求項６】
前記連結手段は、前記外壁材の目地と重なる位置に配置されていることを特徴とする請求項４または５に記載の建物の構築方法。
【発明の詳細な説明】
【技術分野】
【０００１】
本発明は、建物の構築方法に関する。
【背景技術】
【０００２】
建物の建築工事において、高所からの転落などの労災を防止するために建方作業に先行して足場を設置する足場先行工法が奨励されている。足場先行工法の具体的な進め方や足場の設置基準などを明らかにしたガイドラインが策定されている。
足場の安全性を向上させるためには、足場の外周に控えを設けたり、足場の内側の四隅に火打材（斜材）を設けたりしている。
足場に火打材を設ける場合は、最上部のみに火打材を設けたり、上下方向の複数段に火打材を設けたりしている（例えば、特許文献１参照）。
【先行技術文献】
【特許文献】
【０００３】
【特許文献１】特開２０００−１４５１３３号公報
【発明の概要】
【発明が解決しようとする課題】
【０００４】
しかしながら、足場に控えを設ける場合には、控えを取り付ける足場の建地や布の外側にスペースが必要となる。このため、控えを取り付ける足場の建地や布の外側にスペースを確保できない場合には、所望の大きさの控えを設置できない虞がある。
【０００５】
また、足場に火打材を設ける場合には、火打材が構築される建物と干渉する虞がある。
このため、足場における構築される建物と干渉する位置に火打材が設けられている場合は、建方作業の前に火打材を足場から外し、建方作業の後に構築された躯体と足場とを連結手段で連結し、足場を安定させている。
しかしながら、建方作業の間は、足場に火打材が設けられていないため、足場の安全性が低下する虞がある。
【０００６】
そこで、本発明は、安定した足場で作業することができる建物の構築方法を提供することを目的とする。
【課題を解決するための手段】
【０００７】
上記目的を達成するため、本発明に係る建物の構築方法は、複数層を有する建物の構築方法において、前記建物の構築範囲の外周に沿って足場を設置し、前記足場の上下方向の中間部における角部に中間火打材を設ける足場設置工程と、前記中間火打材よりも下側の第１躯体を構築する第１躯体構築工程と、前記第１躯体と前記足場とを連結手段で連結する第１躯体足場連結工程と、前記中間火打材を取り外す中間火打材取り外し工程と、前記第１躯体よりも上側の第２躯体を構築する第２躯体構築工程と、前記第２躯体と前記足場とを連結手段で連結する第２躯体足場連結工程と、前記足場を解体し、前記第１躯体と前記足場とを連結する前記連結手段、および前記第２躯体と前記足場とを連結する前記連結手段を取り外す足場解体工程と、を有することを特徴とする。
【０００８】
本発明は、第１躯体構築工程では、足場に中間火打材が設けられているため、安定した足場で作業をすることができ、第２躯体構築工程では、足場から中間火打材が外されているが足場が第１躯体と連結手段で連結されているため、安定した足場で作業をすることができる。
第２躯体足場連結工程の後の工程では、足場が第１躯体および第２躯体と連結手段で連結されているため、安定した足場で作業をすることができる。
【０００９】
また、本発明に係る建物の構築方法は、複数層を有する建物の構築方法において、前記建物は、前記複数層にわたる通し柱を有し、前記建物の構築範囲の外周に沿って足場を設置し、前記足場の上下方向の中間部における角部に中間火打材を設ける足場設置工程と、前記通し柱を前記足場の角部と前記中間火打材とで囲まれた空部を貫通させるように立設する通し柱立設工程と、前記中間火打材よりも下側の第１躯体を構築する第１躯体構築工程と、前記第１躯体と前記足場とを連結手段で連結する第１躯体足場連結工程と、前記第１躯体よりも上側の第２躯体を構築する第２躯体構築工程と、前記第２躯体と前記足場とを連結手段で連結する第２躯体足場連結工程と、前記第２躯体足場連結工程の後に前記中間火打材を取り外す中間火打材取り外し工程と、前記足場を解体し、前記第１躯体と前記足場とを連結する前記連結手段、および前記第２躯体と前記足場とを連結する前記連結手段を取り外す足場解体工程と、を有することを特徴とする。
【００１０】
本発明は、通し柱立設工程では、通し柱を足場の角部と中間火打材とで囲まれた空部を貫通させることで、足場に中間火打材が設けられた状態でも通し柱を立設することができるため、安定した足場で作業をすることができる。第１躯体構築工程では、足場に中間火打材が設けられているため、安定した足場で作業をすることができ、第２躯体構築工程では、足場から中間火打材が外されているが足場が第１躯体と連結手段で連結されているため、安定した足場で作業をすることができる。
第２躯体足場連結工程の後の工程では、足場が第１躯体および第２躯体と連結手段で連結されているため、安定した足場で作業をすることができる。
【００１１】
また、本発明に係る建物の構築方法は、複数層を有する建物の構築方法において、前記建物の構築範囲の外周に沿って足場を設置し、前記足場の上下方向の中間部における角部に中間火打材を設け、前記足場の上端部分における角部に上側火打材を設ける足場設置工程と、前記建物における平面視で前記中間火打材と干渉しない中央部分の躯体を構築する中央躯体構築工程と、前記中央部分の躯体と前記足場とを連結手段で連結する中央躯体足場連結工程と、前記中間火打材および前記上側火打材を取り外す火打材取り外し工程と、前記建物における前記中央部分以外の側部分の躯体を構築する側部躯体構築工程と、前記側部分の躯体と前記足場とを連結手段で連結する側部躯体足場連結工程と、前記足場の上端部分における角部に前記上側火打材を再度設ける上側火打材設置工程と、前記足場を解体し、前記中央部分の躯体と前記足場とを連結する前記連結手段、および前側部分の躯体と前記足場とを連結する前記連結手段を取り外す足場解体工程と、を有することを特徴とする。
【００１２】
本発明は、中央躯体構築工程では、足場に中間火打材が設けられているため、安定した足場で作業をすることができ、側部躯体構築工程では、足場から中間火打材および上側火打材が外されているが足場が中央部分の躯体と連結手段で連結されているため、安定した足場で作業をすることができる。また、側部躯体構築工程では、足場から中間火打材および上側火打材が外されているため、建方作業の際に中間火打材および上側火打材を考慮する必要がなく、作業を行いやすい。
側部躯体構築工程の後の工程では、足場が躯体の中央部分および側部分と連結手段で連結されているとともに、足場に上側火打材が設けられているため、安定した足場で作業をすることができる。
【００１３】
また、本発明に係る建物の構築方法では、前記第１躯体および前記第２躯体は、それぞれ外壁材が固定される外壁材固定部を有し、前記連結手段は、前記外壁材固定部と前記足場とを連結するように構成され、前記第１躯体足場連結工程の後に前記第１躯体の前記外壁材固定部に前記外壁材を固定する第１外壁材施工工程と、前記第２躯体足場連結工程の後に前記第２躯体の前記外壁材固定部に前記外壁材を固定する第２外壁材施工工程と、を有していてもよい。
このような構成とすることにより、第１外壁材施工工程は、足場が第１躯体と連結手段で連結されているため、安定した足場で作業をすることができる。第２外壁材施工工程は、足場が第２躯体と連結手段で連結されているため、安定した足場で作業をすることができる。
【００１４】
また、本発明に係る建物の構築方法では、前記中央部分の躯体および前記側部分の躯体は、それぞれ外壁材が固定される外壁材固定部を有し、前記連結手段は、前記外壁材固定部と前記足場とを連結するように構成され、前記中央躯体足場連結工程の後に前記中央部分の躯体の前記外壁材固定部に前記外壁材を固定する中央外壁材施工工程と、前記側部躯体足場連結工程の後に前記側部分の躯体の前記外壁材固定部に前記外壁材を固定する側部分外壁材施工工程と、を有していてもよい。
このような構成とすることにより、中央外壁材施工工程は、足場が中央部分の躯体と連結手段で連結されているため、安定した足場で作業をすることができる。側部分外壁材施工工程は、足場が側部分の躯体と連結手段で連結されているため、安定した足場で作業をすることができる。
【００１５】
また、本発明に係る建物の構築方法では、前記連結手段は、前記外壁材の目地と重なる位置に配置されていてもよい。
このような構成とすることにより、連結手段が設けられていても、連結手段の両側に外壁材を設ければよいため、外壁材の施工工程を容易に行うことができる。
【発明の効果】
【００１６】
本発明によれば、安定した足場で作業することができる。
【図面の簡単な説明】
【００１７】
【図１】本発明の第１実施形態による建物の構築方法の足場の一例を示す斜視図である。
【図２】（ａ）は隅建地と梁とを連結する連結部材を示す図で外壁材が取り付けられる前の様子を示す図、（ｂ）は隅建地と梁とを連結する連結部材を示す図で外壁材が取り付けられた様子を示す図、（ｃ）は（ｂ）のＡ−Ａ線断面図である。
【図３】（ａ）は第１実施形態による建物の構築方法の１階部分構築工程を説明する立面図、（ｂ）は（ａ）のＢ−Ｂ線断面図である。
【図４】（ａ）は第１実施形態による建物の構築方法の１階部分足場連結工程を説明する立面図、（ｂ）は（ａ）のＣ−Ｃ線断面図である。
【図５】（ａ）は第１実施形態による建物の構築方法の中間火打材取り外し工程を説明する立面図、（ｂ）は（ａ）のＤ−Ｄ線断面図である。
【図６】第１実施形態による建物の構築方法の１階部分外壁材施工工程、２階部分構築工程を説明する立面図である。
【図７】第１実施形態による建物の構築方法の２階部分足場連結工程を説明する立面図である。
【図８】第１実施形態による建物の構築方法の第２外壁材施工工程を説明する立面図である。
【図９】（ａ）は第２実施形態による建物の構築方法の通し柱立設工程、１階部分構築工程を説明する立面図、（ｂ）は１階部分足場連結工程を説明する立面図、（ｃ）は中間火打材取り外し工程、２階部分構築工程、２階部分足場連結工程、第１外壁材施工工程を説明する立面図、（ｄ）は第２外壁材施工工程を説明する立面図である。
【図１０】（ａ）は第３実施形態による建物の構築方法の通し柱立設工程、１階部分構築工程、２階部分構築工程を説明する立面図、（ｂ）は１階部分足場連結工程、２階部分足場連結工程を説明する立面図、（ｃ）は中間火打材取り外し工程、第１外壁材施工工程を説明する立面図、（ｄ）は第２外壁材施工工程を説明する立面図である。
【図１１】（ａ）は第４実施形態による建物の構築方法の通し柱立設工程、１階部分構築工程、１階部分足場連結工程を説明する立面図、（ｂ）は、２階部分構築工程、２階部分足場連結工程を説明する立面図、（ｃ）は中間火打材取り外し工程、第１外壁材施工工程を説明する立面図、（ｄ）は第２外壁材施工工程を説明する立面図である。
【図１２】（ａ）は第５実施形態による建物の構築方法の外壁材施工工程が完了した様子を説明する立面図、（ｂ）は第２中間火打材取り外し工程を説明する立面図、（ｃ）は３階部分構築工程を説明する立面図、（ｄ）は３階部分足場連結工程を説明する立面図である。
【図１３】（ａ）は第６実施形態による建物の構築方法の第１ブロック１階部分構築工程を説明する平面図、（ｂ）は第１ブロック１階部分足場連結工程から第１ブロック２階部分足場連結工程までを説明する平面図、（ｃ）は第２ブロック１階部分構築工程、第２ブロック２階部分足場連結工程までを説明する平面図、（ｄ）は第２ブロック１階部分足場連結工程を説明する平面図である。
【図１４】（ａ）は第７実施形態による建物の構築方法の第１ブロック１階部分構築工程を説明する平面図、（ｂ）は第１ブロック１階部分足場連結工程から第１ブロック２階部分足場連結工程までを説明する平面図、（ｃ）は第２ブロック１階部分構築工程から第２ブロック２階部分足場連結工程までを説明する平面図、（ｄ）は第３ブロック１階部分構築工程、第３ブロック１階部分足場連結工程を説明する平面図、（ｅ）は第３ブロック側中間火打材取り外し工程から第３ブロック２階部分足場連結工程までを説明する平面図である。
【発明を実施するための形態】
【００１８】
（第１実施形態）
以下、本発明の第１実施形態による建物の構築方法について、図１乃至図８に基づいて説明する。
第１実施形態による建物の構築方法は、２階建ての建物の構築方法で、建物の基礎工事、埋め戻しおよび地ならしが完了した後に建物が構築される領域の外周に足場を設置し、足場の内側に建物を構築する。足場の内側が建物の構築範囲となっている。
第１実施形態では、建物の１階部分（第１躯体）の建方（建物の１階部分の柱・梁の設置）を行った後に、建物の２階部分（第２躯体）の建方（建物の２階部分の柱・梁の設置）を行う。
建物の１階部分を１階部分と表記し、建物の２階部分を２階部分と表記する。
【００１９】
図１に示すように、足場１は、地面に立設する複数の建地２と、複数の建地２間に架設された布３と、四隅の角部に設けられた火打材４と、を有している。足場１は、平面視で外形が長方形となるように設置されている。
足場１には、図示していないが、筋違や控え、作業床、階段、梯子などが適宜設けられている。作業床を支持するブラケットや支持柱なども適宜設けられている。また、図示していないが、足場１の各部材は、クランプなどの連結材で連結されている。
足場は、単管足場、くさび緊結式足場、丸太足場など、火打材４および後述する連結部材６を設置可能な足場であればよい。
【００２０】
建地２は、鋼管などで上下方向に延び、地面に接地されるベース２１の上に立設している。建地２は、構築される建物の高さ寸法よりも長く、上端部が構築される建物の上端部よりも上側に位置している。
建地２は、足場１の平面視の外形の四隅に設けられた４つの隅建地２２と、隣り合う隅建地２２の間に複数ずつ設けられた中間建地２３と、を有している。
【００２１】
布３は、鋼管などで水平方向に延び、両端部が建地２にクランプなどの連結材で連結されている。図１では布３は、建地２の上端部近傍と、上下方向の中間部の２段の布３を示している。建地２の上端部近傍に連結されている布３を上側布３１とし、建地２の上下方向の中間部に連結されている中間布３２とする。なお、上側布３１および中間布３２以外に布３が設けられていてもよい。
【００２２】
火打材４は、鋼管などで、足場１の四隅それぞれに設けられ、足場１の角部で交差して連結される２本の布３それぞれに対して斜めとなる向きで連結されている。交差する２本の布３と、火打材４との間には上下方向から見て略三角形で上下方向に貫通する空部４１が形成されている。火打材４は、上下方向から見て建物と重なる位置に配置されている。
【００２３】
火打材４は、クランプなどの連結材で布３に連結され、布３に対して着脱可能に構成されている。
火打材４は、上側布３１および中間布３２それぞれに対して連結されるように設けられている。２本の上側布３１に連結された火打材４を上側火打材４２とし、２本の中間布３２に連結された火打材４を中間火打材４３とする。
上側火打材４２は、構築される建物の上端部よりも上側となる高さに設けられている。
中間火打材４３は、１階部分よりも上側となり、２階部分５６における下部側となる高さに設けられている。
【００２４】
図２に示すように、足場１の建地２と建物５の梁５１，５２とは、連結部材６（連結手段）で連結可能に構成されている。
連結部材６は、棒状の部材で、一方の端部がクランプなどの連結材で建地２に連結され、他方の端部が梁５１，５２に設けられたアンカー６４に連結される。連結部材６は、建地２およびアンカー６４に対して着脱可能に構成されている。連結部材６は、長さ寸法を調整可能に構成されていて、建地２と建物５との間隔に合わせた長さ寸法とすることができる。
【００２５】
連結部材６は、長さ方向が梁５１，５２に対して略直交する水平方向となる向きで、建地２およびアンカー６４に連結される。本実施形態では、連結部材６は、四隅に設けられた隅建地２２ではなく、中間建地２３に取り付けられている。
アンカー６４は、梁５１，５２から外側（足場１側）突出している。アンカー６４は、梁５１，５２の長さ方向の中間部で、ＡＬＣ（軽量気泡コンクリート）パネルからなる外壁材７の目地７４と重なる位置に配置されている。アンカー６４は、外壁材７，７に側方から挟まれた状態で、建物５が構築された後も梁５１，５２に取り付けられている。アンカー６４は、先端部６４ａが外壁材７の外側の面７ａから突出しない寸法に設定されている。
足場１の中間建地２３と１階部分の梁５１とを連結する連結部材６を１階連結部材６１とし、足場１の中間建地２３と１階部分の梁５２とを連結する連結部材６を２階連結部材６２とする。
【００２６】
第１実施形態による建物の構築方法について説明する。
まず、建物５の基礎工事、地盤の埋め戻しおよび地ならしを行う。
続いて、図３に示すように、建物５の基礎の外周に足場１を設置する足場設置工程を行う。
足場１には、上側火打材４２および中間火打材４３を設ける。なお、図３では、後述する１階部分構築工程までが完了した様子を示している。図３−図８では、中間建地２３（図１および図２参照）を省略している。
【００２７】
続いて、１階部分５５の建方を行う１階部分構築工程（第１躯体構築工程）を行う。
基礎（不図示）の上部に１階部分５５の柱５３を立設し、間隔をあけて配置された柱間に梁５１を架設する。
１階部分は、中間火打材４３よりも下側に位置するため、１階部分５５の柱５３および梁５１は、中間火打材４３と干渉せずに設置される。
【００２８】
続いて、図４に示すように、１階部分の梁５１と足場１の中間建地２３とを１階連結部材６１で連結する１階部分足場連結工程（第１躯体足場連結工程）を行う。
１階連結部材６１の長さを調整し、１階連結部材６１の一方の端部を１階部分５５の梁５１に設けられたアンカー６４に連結するとともに、他方の端部を中間建地２３に連結する。これにより、足場１が１階部分５５に連結される。１階連結部材６１は、建物５の四方それぞれに設ける。
【００２９】
続いて、図５に示すように、中間火打材４３（図４参照）を取り外す中間火打材取り外し工程を行う。
１階部分足場連結工程の後に、中間火打材４３を取り外す。これにより、２階部分５６が構築される領域から中間火打材４３が無くなるため、２階部分５６（図６参照）が構築可能となる。
【００３０】
１階部分足場連結工程の後に、中間火打材取り外し工程と前後して、１階部分５５の外壁材７１を施工する１階部分外壁材施工工程（第１外壁材施工工程）を行う。
【００３１】
続いて、図６に示すように、２階部分５６の建方を行う２階部分構築工程（第２躯体構築工程）を行う。
１階部分５５の梁５１の上側に２階部分５６の柱５４を立設し、柱間に梁５２を架設する。
２階部分５６は、上側火打材４２よりも下側に位置するため、２階部分５６の柱５４および梁５２は、上側火打材４２と干渉せずに設置される。
【００３２】
続いて、図７に示すように、２階部分５６の梁５２と中間建地２３とを２階連結部材６２で連結する２階部分足場連結工程（第２躯体足場連結工程）を行う。
２階連結部材６２の長さを調整し、２階連結部材６２の一方の端部を２階部分５６の梁５２に設けられたアンカー６４（図２参照）に連結するとともに、他方の端部を中間建地２３に連結する。これにより、足場１が２階部分５６に連結される。２階連結部材６２は、建物５の四方それぞれに設ける。
【００３３】
続いて、図８に示すように、２階部分５６の外壁材７２を施工する２階部分外壁材施工工程（第２外壁材施工工程）を行う。
１階連結部材６１、２階連結部材６２および上側火打材４２を設置した状態で、後の工程を行う。
足場１を必要とする工事が完了したら、足場１を解体する足場解体工程を行う。足場解体工程の段階で、１階連結部材６１、２階連結部材６２および上側火打材４２を取り外す。
【００３４】
次に、上述した本発明の第１実施形態による建物の構築方法の作用・効果について図面を用いて説明する。
上述した本発明の第１実施形態による建物の構築方法では、１階部分構築工程は、足場１に中間火打材４３が設けられているため、安定した足場１で作業をすることができ、２階部分構築工程は、足場１から中間火打材４３が外されているが足場１が１階部分５５の梁５１と１階連結部材６１で連結されているため、安定した足場１で作業をすることができる。
２階部分足場連結工程の後の工程では、足場１が１階部分５５の梁５１と１階連結部材６１で連結されているとともに、２階部分５６の梁５２と２階連結部材６２で連結されているため、安定した足場１で作業をすることができる。
【００３５】
また、１階部分足場連結工程の後に１階部分外壁材施工工程を行い、２階部分足場連結工程の後に２階部分外壁材施工工程を行っている。これにより、１階部分外壁材施工工程は、足場１が１階部分５５の梁５１と１階連結部材６１で連結されているため、安定した足場１で作業をすることができる。２階部分外壁材施工工程は、足場１が２階部分５６の梁５２と２階連結部材６２で連結されているため、安定した足場１で作業をすることができる。
【００３６】
また、連結部材６は、外壁材７の目地７４と重なる位置に配置されていることにより、連結部材６が設けられていても、連結部材６の両側に外壁材７を設ければよいため、１階部分外壁材施工工程および２階部分外壁材施工工程を容易に行うことができる。
【００３７】
（第２実施形態）
次に、本発明の他の実施形態について、添付図面に基づいて説明するが、上述の第１実施形態と同一又は同様な部材、部分には同一の符号を用いて説明を省略し、上述の実施形態と異なる構成について説明する。
図９に示すように、第２実施形態による建物の構築方法は、２階建ての建物５の四隅に通し柱５７が設けられている建物の構築方法である。第１実施形態と同様に、足場１の角部には、中間火打材４３と、交差する布３の角部とに囲まれた平面視三角形の空部４１が形成されている。通し柱５７は、クレーンで鉛直性を維持した状態で吊り上げられ空部４１の上方まで移動した後に降ろされて、その空部４１を貫通するように立設される。図９では、中間建地２３（図１および図２参照）が省略されている。
第２実施形態では、足場設置工程まで第１実施形態と同様に行う。
【００３８】
続いて、図９（ａ）に示すように、通し柱５７を立設し、１階部分５５の建方を行う通し柱立設工程および１階部分構築工程（第１躯体構築工程）を行う。
通し柱立設工程では、基礎（不図示）の上部に通し柱５７を立設する。通し柱５７は、中間火打材４３と、交差する布３の角部との間の空部４１に挿通させる。
１階部分構築工程では、基礎の上部に通し柱５７以外の１階部分５５の柱を立設し、柱間に梁５１を架設する。
【００３９】
続いて、図９（ｂ）に示すように、１階部分５５の梁５１と中間建地２３とを１階連結部材６１で連結する１階部分足場連結工程（第１躯体足場連結工程）を行う。
１階連結部材６１の長さを調整し、１階連結部材６１の一方の端部を１階部分５５の梁５１に設けられたアンカー６４に連結するとともに、他方の端部を中間建地２３に連結する。これにより、足場１が１階部分５５に連結される。１階連結部材６１は、建物５の四方それぞれに設ける。
【００４０】
続いて、図９（ｃ）に示すように、中間火打材４３を取り外す中間火打材取り外し工程を行う。図９（ｃ）は、後述する２階部分足場連結工程が完了した状態を示している。
これにより、２階部分５６が構築される領域から中間火打材４３が無くなるため、２階部分５６が構築可能となる。
【００４１】
１階部分足場連結工程の後に、中間火打材取り外し工程と前後して、１階部分５５の外壁材７１を施工する１階部分外壁材施工工程（第１外壁材施工工程）を行う。
【００４２】
続いて、２階部分５６の建方を行う２階部分構築工程（第２躯体構築工程）を行う。
１階部分５５の梁５１の上側に２階部分５６の柱を立設し、柱間に梁５２を架設する。
２階部分５６は、上側火打材４２よりも下側に位置するため、２階部分５６の柱および梁５２は、上側火打材４２と干渉せずに設置される。
【００４３】
続いて、２階部分５６の梁５２と中間建地２３とを２階連結部材６２で連結する２階部分足場連結工程（第２躯体足場連結工程）を行う。
２階連結部材６２の長さを調整し、２階連結部材６２の一方の端部を２階部分５６の梁５２に設けられたアンカー６４に連結するとともに、他方の端部を中間建地２３に連結する。これにより、足場１が２階部分５６に連結される。２階連結部材６２は、建物５の四方それぞれに設ける。
【００４４】
続いて、図９（ｄ）に示すように、２階部分５６の外壁材７２を施工する２階部分外壁材施工工程（第２外壁材施工工程）を行う。
１階連結部材６１、２階連結部材６２および上側火打材４２を設置した状態で、後の工程を行う。
足場１を必要とする工事が完了したら、足場１を解体する足場解体工程を行う。
足場解体工程において、１階連結部材６１、２階連結部材６２および上側火打材４２を取り外す。
【００４５】
第２実施形態による建物の構築方法では、通し柱立設工程では、通し柱５７を足場１の角部と中間火打材４３とで囲まれた空部４１を貫通させることで、足場１に中間火打材４３が設けられた状態でも通し柱５７を立設することができるため、安定した足場１で作業をすることができる。
１階部分構築工程では、足場１に中間火打材４３が設けられているため、安定した足場１で作業をすることができ、２階部分構築工程では、足場１から中間火打材４３が外されているが足場１が１階部分５５の梁５１と１階連結部材６１で連結されているため、安定した足場１で作業をすることができる。
２階部分足場連結工程の後の工程では、足場１が１階部分５５の梁５１と１階連結部材６１で連結され、２階部分５６の梁５２と２階連結部材６２で連結されているため、安定した足場１で作業をすることができる。
【００４６】
（第３実施形態）
図１０に示すように、第３実施形態による建物の構築方法では、第２実施形態と同様に、２階建ての建物５の四隅に通し柱５７が設けられている建物の構築方法で、通し柱５７を中間火打材４３と、交差する布３の角部との間の空部４１に挿通させるようにして基礎の上部に立設している。
【００４７】
第３実施形態では、通し柱立設工程・１階部分構築工程（第１躯体構築工程）まで第２実施形態と同様に行う。
【００４８】
続いて、図１０（ａ）に示すように、２階部分５６の建方を行う２階部分構築工程（第２躯体構築工程）を行う。
１階部分５５の梁５１の上側に２階部分５６の柱を立設し、柱間に梁５２を架設する。
第３実施形態の２階部分構築工程では、１階部分５５の梁５１と中間建地２３とはまだ１階連結部材６１（図１０（ｂ）参照）で連結されていないが、中間火打材４３が足場１に取り付けられたままとなっている。２階部分５６の柱および梁５２は、中間火打材４３と干渉しないように設置される。
【００４９】
続いて、図１０（ｂ）に示すように、１階部分５５の梁５１と中間建地２３とを１階連結部材６１で連結する１階部分足場連結工程（第１躯体足場連結工程）を行うとともに、２階部分５６の梁５２と中間建地２３とを２階連結部材６２で連結する２階部分足場連結工程（第２躯体足場連結工程）を行う。
【００５０】
１階連結部材６１の長さを調整し、１階連結部材６１の一方の端部を１階部分５５の梁５１に設けられたアンカー６４に連結するとともに、他方の端部を中間建地２３に連結する。これにより、足場１が１階部分５５に連結される。また、２階連結部材６２の長さを調整し、２階連結部材６２の一方の端部を２階部分５６の梁５２に設けられたアンカー６４に連結するとともに、他方の端部を中間建地２３に連結する。これにより、足場１が２階部分５６に連結される。１階連結部材６１および２階連結材をそれぞれ建物５の四方それぞれに設ける。
【００５１】
続いて、図１０（ｃ）に示すように、中間火打材４３を取り外す中間火打材取り外し工程を行う。
続いて、１階部分５５の外壁材７１を施工する１階部分外壁材施工工程（第１外壁材施工工程）を行い、図１０（ｄ）に示すように、２階部分５６の外壁材７２を施工する２階部分外壁材施工工程（第２外壁材施工工程）を行う。
１階連結部材６１、２階連結部材６２および上側火打材４２を設置した状態で、後の工程を行う。
足場１を必要とする工事が完了したら、足場１を解体する足場解体工程を行う。
足場解体工程において、１階連結部材６１、２階連結部材６２および上側火打材４２を取り外す。
【００５２】
第３実施形態による建物の構築方法では、足場１に中間火打材４３が設けられた状態でも通し柱５７を立設することができるため、安定した足場１で作業をすることができる。また、第１躯体構築工程および第２躯体構築工程を連続して行うことができ、建方作業を集約して行うことができる。
【００５３】
（第４実施形態）
図１１に示すように、第４実施形態による建物の構築方法では、第２実施形態と同様に、２階建ての建物５の四隅に通し柱５７が設けられている建物の構築方法で、通し柱５７を中間火打材４３と、交差する布３の角部との間の空部４１に挿通させるようにして基礎の上部に立設している。
第４実施形態では、図１１（ａ）に示すように、１階部分足場連結工程（第１躯体足場連結工程）まで第２実施形態と同様に行う。
【００５４】
続いて、図１１（ｂ）に示すように、２階部分５６の建方を行う２階部分構築工程（第２躯体構築工程）を行う。
１階部分５５の梁５１の上側に２階部分５６の柱を立設し、柱間に梁５２を架設する。
このとき、１階部分５５の梁５１と中間建地２３とは１階連結部材６１で連結されているとともに、足場１には中間火打材４３が取り付けられている。
２階部分５６の柱および梁５２は、中間火打材４３と干渉しないように設置される。
【００５５】
続いて、２階部分５６の梁５２と中間建地２３とを２階連結部材６２で連結する２階部分足場連結工程（第２躯体足場連結工程）を行う。
続いて、図１１（ｃ）に示すように、中間火打材４３を取り外す中間火打材取り外し工程を行う。
続いて、１階部分５５の外壁材７１を施工する１階部分外壁材施工工程（第１外壁材施工工程）を行うとともに、図１１（ｄ）に示すように、２階部分５６の外壁材７２を施工する２階部分外壁材施工工程（第２外壁材施工工程）を行う。
１階連結部材６１、２階連結部材６２および上側火打材４２を設置した状態で、後の工程を行う。
足場１を必要とする工事が完了したら、足場１を解体する足場解体工程を行う。
足場解体工程において、１階連結部材６１、２階連結部材６２および上側火打材４２を取り外す。
【００５６】
第４実施形態による建物の構築方法では、１階連結部材６１、２階連結部材６２を取り付けた後に、中間火打材４３を取り外すため、長期間にわたって足場１を安定した状態に維持することができる。
【００５７】
（第５実施形態）
図１２に示すように、第５実施形態による建物の構築方法では、３階建ての建物の構築方法で、足場１には、高さ方向の中間部上下方向に間隔をあけて中間火打材４３が２段設けられている。２段の中間火打材４３のうち、下側の中間火打材４３を第１中間火打材とし、上側の中間火打材４３を第２中間火打材４３２とする。
【００５８】
第１中間火打材は、１階部分５５の梁５１と２階部分５６の梁５２との間の高さに配置され、第２中間火打材４３２は、２階部分５６の梁５２と３階部分５８の梁５９との間の高さに配置されている。
上側火打材４２は、３階部分５８の梁５９よりも上側に配置されている。
第５実施形態では、足場１と３階部分５８の梁５９とが連結部材６で連結される。足場１と３階部分５８の梁５９とを連結する連結部材６をとする。
【００５９】
第５実施形態による建物の構築方法では、足場設置工程で、第１中間火打材および第２中間火打材４３２の両方を設置し、第１実施形態と同様に、２階部分５６の外壁材７２を施工する２階部分外壁材施工工程（第２外壁材施工工程）まで行う。図１２（ａ）に示すように、この状態では、１階部分５５の梁５１と足場１とが１階連結部材６１で連結され、２階部分５６の梁５２と足場１とが２階連結部材６２で連結され、第２中間火打材４３２は足場１に取り付けられている。
第１実施形態における中間火打材取り外し工程に対応する工程では、第１中間火打材を足場１から取り外す。この工程を第１中間火打材取り外し工程とする。
【００６０】
続いて、図１２（ｂ）に示すように、第２中間火打材４３２を取り外す第２中間火打材取り外し工程（中間火打材取り外し工程）を行う。
３階部分５８の建方を行う３階部分構築工程（第２躯体構築工程）を行う。
２階部分５６の梁５２の上側に３階部分５８の柱６０を立設し、柱間に梁５９を架設する。
３階部分５８は、上側火打材４２よりも下側に位置するため、３階部分５８の柱６０および梁５９は、上側火打材４２と干渉せずに設置される。
【００６１】
続いて、３階部分５８の梁５９と中間建地２３とを３階連結部材６３で連結する３階部分足場連結工程（第２躯体足場連結工程）を行う。
３階連結部材６３の長さを調整し、３階連結部材６３の一方の端部を３階部分５８の梁５９に設けられたアンカー６４に連結するとともに、他方の端部を中間建地２３に連結する。これにより、足場１が３階部分５８に連結される。３階連結部材６３は、建物５の四方それぞれに設ける。
【００６２】
続いて、３階部分５８の外壁材７３を施工する３階部分外壁材施工工程（第２外壁材施工工程）を行う。
１階連結部材６１、２階連結部材６２、３階連結部材６３および上側火打材４２を設置した状態で、後の工程を行う。
足場１を必要とする工事が完了したら、足場１を解体する足場解体工程を行う。
足場解体工程において、１階連結部材６１、２階連結部材６２、３階連結部材６３および上側火打材４２を取り外す。
【００６３】
第５実施形態による建物の構築方法では、３階建ての建物５においても第１実施形態と同様の効果を奏する。
また、４階建て以上の建物５においても、階ごとに中間火打材４３および連結部材６を設けることで、同様に安定した足場１で建物５の構築を行うことができる。
【００６４】
（第６実施形態）
図１３に示すように、第６実施形態による建物の構築方法は、奥行き方向に長い２階建ての建物の構築方法で、建物５を奥行き方向に２つのブロック８１，８２に分けて構築していて、奥行き方向の一方側の部分（第１ブロック８１とする）を構築した後に、奥行き方向の他方側（手前側）の部分（第２ブロック８２とする）を構築する。第１ブロック８１と第２ブロック８２とは一体に構築される。
第６実施形態による建物の構築方法は、建方工事などを主に奥行き方向の一方側から行う場合に採用することができる。
図１３は、１階の梁と２階の梁の間の高さの水平断面図である。
【００６５】
図１３（ａ）に示すように、足場１を設置し、上記の実施形態と同様に、足場１の四隅に中間火打材４３および上側火打材４２を設置する足場設置工程を行う。
第１ブロック８１の１階部分５５の建方を行う第１ブロック１階部分構築工程（第１躯体構築工程）を行う。
図１３（ｂ）に示すように、第１ブロック８１の１階部分５５の梁５１と足場１とを１階連結部材６１で連結する第１ブロック１階部分足場連結工程（第１躯体足場連結工程）を行う。
【００６６】
図１３（ｃ）に示すように、足場１における奥行き方向の奥側に設けられた中間火打材４３３を取り外す第１ブロック側中間火打材取り外し工程（中間火打材取り外し工程）を行う。
第１ブロック８１の２階部分５６の建方を行う第１ブロック階部分構築工程（第２躯体構築工程）を行う。
第１ブロック８１の２階部分５６の梁５２と足場１とを２階連結部材６２で連結する第１ブロック２階部分足場連結工程（第２躯体足場連結工程）を行う。
【００６７】
第２ブロック８２の１階部分５５の建方を行う第２ブロック１階部分構築工程（第１躯体構築工程）を行う。
図１３（ｄ）に示すように、第２ブロック８２の１階部分５５の梁５１と足場１とを１階連結部材６１で連結する第２ブロック１階部分足場連結工程（第１躯体足場連結工程）を行う。
続いて、足場１における奥行き方向の手前に設けられた中間火打材４３４を取り外す第２ブロック側中間火打材取り外し工程（中間火打材取り外し工程）を行う。
第２ブロック８２の２階部分５６の建方を行う第２ブロック２階部分構築工程（第２躯体構築工程）を行う。
第２ブロック８２の２階部分５６の梁５２と足場１とを２階連結部材６２で連結する第２ブロック２階部分足場連結工程（第２躯体足場連結工程）を行う。
【００６８】
外壁材は、外壁を取り付ける梁が足場１と連結部材６で連結された後に施工する。
例えば、第１ブロック８１の１階部分５５の外壁材は、第１ブロック１階部分足場連結工程の後であれば施工可能となる。
１階連結部材６１、２階連結部材６２および上側火打材４２を設置した状態で、後の工程を行う。
足場１を必要とする工事が完了したら、足場１を解体する足場解体工程を行う。
足場解体工程において、１階連結部材６１、２階連結部材６２および上側火打材４２を取り外す。
【００６９】
第６実施形態による建物の構築方法では、奥行き方向に長い建物５で奥行き方向の手前側から建方と行う場合などに、安定した足場１で建物５の構築を行うことができる。
【００７０】
（第７実施形態）
図１４に示すように、第６実施形態による建物の構築方法は、奥行き方向に長い２階建ての建物の構築方法で、建物５を奥行き方向に３つのブロックに分けて構築していて、奥行き方向の一方側の部分（第１ブロック８４とする）を構築した後に、奥行き方向の中間部分（第２ブロック８５とする）を構築し、その後に、奥行き方向の他方側（手前側）の部分（第３ブロック８６とする）を構築する。第１ブロック８４、第２ブロック８５および第３ブロック８６は、一体に構築される。
第７実施形態による建物の構築方法は、第６実施形態と同様に、建方工事などを主に奥行き方向の一方側から行う場合に採用することができる。
第２ブロック８５の構築領域は、中間火打材４３および上側火打材４２と干渉しない領域となっている。
図１４は、１階の梁と２階の梁の間の高さの水平断面図である。
【００７１】
第７実施形態による建物の構築方法では、図１４（ａ）に示すように、足場１を設置し、上記の実施形態と同様に、足場１の四隅に中間火打材４３および上側火打材４２を設置する足場設置工程を行う。
第１ブロック８４の１階部分５５の建方を行う第１ブロック１階部分構築工程（第１躯体構築工程）を行う。
【００７２】
図１４（ｂ）に示すように、第１ブロック８４の１階部分５５の梁５１と足場１とを１階連結部材６１で連結する第１ブロック１階部分足場連結工程（第１躯体足場連結工程）を行う。
足場１における奥行き方向の奥側に設けられた中間火打材４３３（図１４（ａ）参照）を取り外す第１ブロック側中間火打材取り外し工程（中間火打材取り外し工程）を行う。
第１ブロック８１の２階部分５６の建方を行う第１ブロック階部分構築工程（第２躯体構築工程）を行う。
第１ブロック８１の２階部分５６の梁５２と足場１とを２階連結部材６２で連結する第１ブロック２階部分足場連結工程（第２躯体足場連結工程）を行う。
【００７３】
続いて、図１４（ｃ）に示すように、第２ブロック８５の１階部分５５の建方を行う第２ブロック１階部分構築工程（第１躯体構築工）を行い、第２ブロック８５の１階部分５５の梁５１と足場１とを１階連結部材６１で連結する第２ブロック１階部分足場連結工程（第１躯体足場連結工程）を行う。
【００７４】
続いて、第２ブロック８５の２階部分５６の建方を行う第２ブロック２階部分構築工程（第２躯体構築工）を行い、第２ブロック８５の２階部分５６の梁５２と足場１とを２階連結部材６２で連結する第２ブロック２階部分足場連結工程（第２躯体足場連結工程）を行う。
【００７５】
続いて、図１４（ｄ）に示すように、第３ブロック８６の１階部分５５の建方を行う第３ブロック１階部分構築工程（第１躯体構築工程）を行う。
続いて、第３ブロック８６の１階部分５５の梁５１と足場１とを１階連結部材６１で連結する第３ブロック１階部分足場連結工程（第１躯体足場連結工程）を行う。
続いて、図１４（ｅ）に示すように、足場１における奥行き方向の手前に設けられた中間火打材４３４（図１４（ｄ）参照）を取り外す第３ブロック側中間火打材取り外し工程（中間火打材取り外し工程）を行う。
続いて、第３ブロック８６の２階部分５６の建方を行う第３ブロック２階部分構築工程（第２躯体構築工程）を行い、第３ブロック８６の２階部分５６の梁５２と足場１とを２階連結部材６２で連結する第３ブロック２階部分足場連結工程（第２躯体足場連結工程）を行う。
【００７６】
第７実施形態においても、外壁材７は、外壁を取り付ける梁５１，５２が足場１と連結部材６で連結された後に施工する。
１階連結部材６１、２階連結部材６２および上側火打材４２を設置した状態で、後の工程を行う。
足場１を必要とする工事が完了したら、足場１を解体する足場解体工程を行う。
足場解体工程において、１階連結部材６１、２階連結部材６２および上側火打材４２を取り外す。
【００７７】
第７実施形態による建物の構築方法では、第６実施形態と同様の効果を奏する。
【００７８】
以上、本発明による建物の構築方法の実施形態について説明したが、本発明は上記の実施形態に限定されるものではなく、その趣旨を逸脱しない範囲で適宜変更可能である。
例えば、上記の実施形態では、建物の構築方法は、２階または３階建ての建物５の構築に採用されているが、４階以上の建物５の構築に採用されていてもよい。この場合、階（層）毎に中間火打材４３を設けるとともに、階ごとに躯体と足場１とを連結するようにする。
また、上記の第６実施形態および第７実施形態では、建物５が奥行き方向に長く、奥行き方向の一方側から建方工事などを行っているが、奥行き方向の両側や、奥行き方向に直交する間口方向の片側や両側から建方工事などを行ってもよい。
【００７９】
また、上記の第６実施形態および第７実施形態では、建物５を奥行き方向に２つまたは３つのブロックに分けて施工しているが、奥行き方向に４つ以上のブロックに分けて施工してもよいし、奥行き方向および幅方向それぞれに複数のブロックに分割し、ブロックごとに躯体を構築するようにしてもよい。このような場合は、構築された躯体の梁５１，５２と足場１とを連結し、中間火打材４３を取り外すようにする。
また、上記の実施形態では、連結部材６は、足場１の中間建地２３および建物５の梁５１，５２に設けられたアンカー６４に連結されているが、足場１の隅建地２２や布３など、中間建地２３以外の部材に連結されていてもよいし、建物５の柱など梁５１，５２以外の躯体に連結されていてもよい。
また、上記の実施形態では、外壁材７は、ＡＬＣ（軽量気泡コンクリート）パネルであるが、ＡＬＣパネル以外の外壁材であってもよい。
【００８０】
また、上記の第７実施形態では、建物５を３つのブロックに分割し、奥行き方向の奥側から手前側に向かって第１ブロック８４、第２ブロック８５、第３ブロック８６の順に構築している。これに対し、建物５における中間火打材４３と干渉しない第２ブロック８５（中央部分）を構築する中央躯体構築工程を行い、第２ブロック８５の躯体と足場１とを各階において連結部材６で連結する中央躯体足場連結工程と行った後に、第１ブロック８４（側部分）および第３ブロック８６（側部分）を構築する側部躯体構築工程を行ってもよい。
【００８１】
このような場合に、中央躯体構築工程および中央躯体足場連結工程の後に、中間火打材４３および上側火打材４２を取り外す火打材取り外し工程を行ってから、側部躯体構築工程を行ってもよい。このようにすることにより、第１ブロック８４および第３ブロック８６を構築する側部躯体構築工程で中間火打材４３および上側火打材４２が足場１から取り外されているため、建方を行いやすく、施工を容易にすることができる。なお、足場１から中間火打材４３および上側火打材４２を取り外されていても、第２ブロック８５の躯体と足場１とが各階において連結部材６で連結されているため、安定した足場１で建物５の構築を行うことができる。なお、側部躯体構築工程の後に、上側火打材４２を再度足場１に設置する上側火打材設置工程を行い、外壁材７の施工や後の工程を行うようにしてもよい。
【符号の説明】
【００８２】
１  足場
２  建地
３  布
４  火打材
５  建物
６  連結部材（連結手段）
７  外壁材
２２  隅建地
２３  中間建地
４２  上側火打材
４３  中間火打材
５１，５２，５９  梁（外壁材固定部）
５３，５４，６０
５５  １階部分（第１躯体）
５６  ２階部分（第２躯体）
５７  通し柱
５８  ３階部分（第２躯体）
６１  １階連結部材（連結手段）
６２  ２階連結部材（連結手段）
６３  ３階連結部材（連結手段）
８１，８４  第１ブロック
８２，８５  第２ブロック
８６  第３ブロック
【図１】
2020159134.tif 000003
【図２】
2020159134.tif 000004
【図３】
2020159134.tif 000005
【図４】
2020159134.tif 000006
【図５】
2020159134.tif 000007
【図６】
2020159134.tif 000008
【図７】
2020159134.tif 000009
【図８】
2020159134.tif 000010
【図９】
2020159134.tif 000011
【図１０】
2020159134.tif 000012
【図１１】
2020159134.tif 000013
【図１２】
2020159134.tif 000014
【図１３】
2020159134.tif 000015
【図１４】
2020159134.tif 000016